(57)【要約】【課題】各回路の接続にシリアルバスを用いることなく、設計変更に柔軟に対応することが可能な電子機器、及び表示装置を提供する。【解決手段】操作キーの操作に応じて複数の第１の配線に発生させる信号を切替える第１の制御部と、前記第１の配線を介して前記第１の制御部とパラレルに接続され、前記各第１の配線に発生する信号に応じて電圧値を設定する出力信号設定部と、前記出力信号設定部により設定された電圧値に応じて、前記第１の制御部が受け付けた操作入力を判断し、所定の処理を行なう第２の制御部とを有する。【選択図】図２
2013123209.tif 000002
【特許請求の範囲】
【請求項１】
所定の操作を受け付ける操作キーを備える電子機器において、
前記操作キーの操作に応じて所定の信号を複数の第１の配線に発生させる第１の制御部と、
前記第１の配線を介して前記第１の制御部とパラレルに接続され、前記第１の配線を通じて入力する信号に応じて電圧値を設定する出力信号設定部と、
前記出力信号設定部により設定された電圧値に応じて、前記第１の制御部が受け付けた操作入力を判断し、所定の処理を行なう第２の制御部とを有することを特徴とする電子機器。
【請求項２】
前記第１の制御部は、
前記操作キーの操作に応じてハイレベル又はローレベルの信号を第２の配線に発生させる操作受付部と、
前記操作受付部と複数の前記第２の配線によりパラレルに接続され、前記各第２の配線に発生した信号レベルに応じて、対応する前記各第１の配線での信号の発生を切替えるＩＣと、を有することを特徴とする請求項１に記載の電子機器。
【請求項３】
前記ＩＣは、前記各第２の配線に発生した信号レベルに応じて、対応する前記第１の配線を導通させて信号を発生させるオープンドレイン回路を備えることを特徴とする請求項２に記載の電子機器。
【請求項４】
前記操作受付部は、タッチキーを備えることを特徴とする請求項２又は請求項３のいずれかに記載の電子機器。
【請求項５】
前記出力信号設定部は、
複数の抵抗が直列接続して成る直列回路により構成され、
前記各第１の配線が前記直列回路の各抵抗の接続点にそれぞれ接続されるとともに、所定の直流電圧の供給を受け、
前記各第１の配線に発生する信号に応じて前記直列回路の抵抗値が変化することで供給された直流電圧に基づく電圧値を変化させて所定の電圧を生成することを特徴とする請求項１から請求項４のいずれか一項に記載の電子機器。
【請求項６】
所定の操作を受け付ける操作キーを備える表示装置において、
前記操作キーの操作に応じて所定の信号を複数の第１の配線に発生させる第１の制御部と、
前記第１の配線を介して前記第１の制御部とパラレルに接続され、前記第１の配線を通じて入力する信号に応じて電圧値を設定する出力信号設定部と、
前記出力信号設定部により設定された電圧値に応じて、前記第１の制御部が受け付けた操作入力を判断し、所定の処理を行なう第２の制御部とを有することを特徴とする表示装置。
【発明の詳細な説明】
【技術分野】
【０００１】
本発明は、所定の操作を受け付ける操作受付部を備える電子機器、及び表示装置に関する。
【背景技術】
【０００２】
従来、所定の操作キーを備え、この操作キーの操作に対応する操作入力を受け付ける電子機器が知られている。例えば、電子機器の前面側にタッチキー等の操作キーを配置することで、ユーザーからの操作を受け付ける。
【０００３】
電子機器が上記のような操作キーを備えるために、操作キーの操作に応じた信号を出力する第１の回路、この信号に応じて所定の処理を判断又は実行する第２の回路が必要となる（例えば、特許文献１−３参照。）。また、従来では、このような第１の回路と第２の回路との間を、Ｉ２Ｃバス等のシリアルバスで接続して、第１の回路と第２の回路との間の通信を行っていた。
【先行技術文献】
【特許文献】
【０００４】
【特許文献１】特開平７−５９８７号公報
【特許文献２】特開２００４−２３４２６３号公報
【特許文献３】実用新案出願公報  昭５８−１２２１３８号公報
【発明の概要】
【発明が解決しようとする課題】
【０００５】
シリアルバスを用いた場合、第１の回路と第２の回路とは１つの配線で接続されるため、複数入力・１出力の第１の回路では、内部の制御を専用のものとする必要がある。同様に、第２の回路も１つの配線で入力したデジタル信号から複数の制御を判断する必要があるため、内部の制御を専用のものとする必要がある。そのため、設計変更等により第１の回路を変更する場合、従来では、少なくとも第２の回路を流用することは難しかった。
【０００６】
本発明は、上記課題にかんがみてなされたもので、各回路の接続にシリアルバスを用いることなく、設計変更に柔軟に対応することが可能な電子機器、及び表示装置の提供を目的とする。
【課題を解決するための手段】
【０００７】
上記課題を解決するために、本発明では、前記操作キーの操作に応じて所定の信号を複数の第１の配線に発生させる第１の制御部と、前記第１の配線を介して前記第１の制御部とパラレルに接続され、前記第１の配線を通じて入力する信号に応じて電圧値を設定する出力信号設定部と、前記出力信号設定部により設定された電圧値に応じて、前記第１の制御部が受け付けた操作入力を判断し、所定の処理を行なう第２の制御部とを有する構成としてある。
【０００８】
上記のように構成された発明では、第１の制御部は、操作キーの操作に応じて各第１の配線に信号を発生させる構成であり、この第１の配線を介して出力信号設定部と接続されている。また、出力信号設定部は、第１の配線を通じて入力する信号に応じて電圧値を設定する。そのため、出力信号設定部に接続される第２の制御部は、前記出力信号設定部により設定された電圧値に応じて、第１の制御部が受け付けた操作入力を判断し、所定の処理を行なう。即ち、第１の制御部と、第２の制御部との間に出力信号設定部を介在させることで、第１の制御部と第２の制御部との間をシリアルバスを用いることなく接続することができる。
【０００９】
また、第１の制御部の好適な一例として、前記第１の制御部は、前記操作キーの操作に応じてハイレベル又はローレベルの信号を第２の配線に発生させる操作受付部と、前記操作受付部と複数の前記第２の配線によりパラレルに接続され、前記各第２の配線に発生した信号レベルに応じて、対応する前記各第１の配線での信号の発生を切替えるＩＣと、を有する構成としてもよい。
上記のように構成された発明では、操作キーの操作に応じた操作入力をパラレルに出力することで、接点に応じて機械式に変化する操作受付部を備える回路と、第１の制御部とを置き換えることが容易になる。
【００１０】
そして、ＩＣは、前記各第２の配線に発生した信号レベルに応じて、対応する前記第１の配線を導通させて信号を発生させるオープンドレイン回路を備える構成としてもよい。
上記のように構成された発明では、オープンドレイン回路を用いることで、既存のＩＣに実装される制御ブロックを用いて本発明を実現することができる。
【００１１】
また、前記第１の制御部は、タッチキーを備える構成としてもよい。
上記のように構成された発明では、タッチキーを操作受付部として備える電子機器であっても、シリアルバスを用いることなく接続を行うことができる。
【００１２】
さらに、出力信号設定部の好適な一例として、前記出力信号設定部は、複数の抵抗が直列接続して成る直列回路により構成され、前記各第１の配線が前記直列回路の各抵抗の接続点にそれぞれ接続されるとともに、所定の直流電圧の供給を受け、前記各第１の配線に発生する信号に応じて前記直列回路の抵抗値が変化することで供給された直流電圧に基づく電圧値を変化させて所定の電圧を生成する構成としてもよい。
上記のように構成された発明では、簡易な構成により出力信号設定部の機能を実現することができる。
【発明の効果】
【００１３】
以上説明したように、本発明によれば、シリアルバスを用いることなく、第１の制御部と第２の制御部との間を接続することができるため、第１の制御部を設計変更する場合でも柔軟に対応することができる。
また、第２の制御部は、１つの配線により操作入力に応じた電圧を受けるため、端子数を削減することができる。
【図面の簡単な説明】
【００１４】
【図１】電子機器１を斜めから見た斜視図である。
【図２】電子機器１の構成を説明するためのブロック構成図である。
【図３】入力用ＩＣ１２の機能を説明するための図である。
【図４】システムマイコン３０により実行される処理を説明するフローチャートである。
【図５】電子機器１の機能を説明するための図である。
【図６】タッチキーモジュール１０の機能を説明する図である。
【発明を実施するための形態】
【００１５】
以下、下記の順序に従って本発明の実施形態を説明する。
１．第１の実施形態：
２．第２の実施形態：
３．その他の実施形態：
【００１６】
１．第１の実施形態： 
以下、図を参照して、この発明に係る電子機器を具体化した第１の実施の形態について説明する。図１は、電子機器１を斜めから見た斜視図である。また、図２は、電子機器１の構成を説明するためのブロック構成図である。そして、図３は、電子機器１の機能を説明するための図である。
【００１７】
図１に示す電子機器１は、テレビジョン受像機（表示装置）としての機能を備えている。そのため、筺体２の前面側には画像を表示するためのディスプレイ３が露出している。また、筺体２の前面側であって、ディスプレイ３の下方には、ユーザーからの操作入力を受け付けるタッチキー（タッチキーモジュール１０の一部）が配置されている。電子機器１では、ユーザーはリモコン装置を操作して電子機器１の操作を行うが、これ以外にも、ユーザーはこのタッチキーを操作することで、電子機器１に対して所定の操作を行うことができる。
【００１８】
図２に示すように、電子機器１は、筺体２の内部に、ディスプレイ３と、チューナー部４と、タッチキーモジュール（第１の制御部）１０と、出力信号設定部２０と、システムマイコン（第２の制御部）３０と、ＩＦ（Inter Face）５と、リモコン受信部６と、を備えている。上記した各部は、後述するようにバスや配線を通じてシステムマイコン３０に接続されており、このシステムマイコン３０における統合的な制御を受ける。
【００１９】
図２に示すように、タッチキーモジュール１０には、ユーザー等からの操作入力を受け付けるタッチキーＫｅｙ＿ｎ（ｎは１〜７までの整数）が配置されている。そして、タッチキーモジュール１０は、複数の回路を実装させた回路基板により構成される。さらに、この回路基板には、図３に示すように、操作入力を受け付ける操作基板（操作受付部）１１や、受け付けた操作入力を所定の信号として出力する入力用ＩＣ１２が実装されている。
【００２０】
本実施形態では、タッチキーＫｅｙ＿１は、「チャンネルＵＰ」操作に対応し、タッチキーＫｅｙ＿２は、「チャンネルＤＯＷＮ」操作に対応する。即ち、タッチキーＫｅｙ＿１を操作することで、システムマイコン３０はチューナー部４が抽出するチャンネルを昇順に順次切替え、タッチキーＫｅｙ＿２を操作することで、システムマイコン３０はチャンネルを降順に順次切替える。そして、タッチキーＫｅｙ＿３は、「音量ＵＰ」操作に対応し、タッチキーＫｅｙ＿４は、「音量ＤＯＷＮ」操作に対応する。即ち、タッチキーＫｅｙ＿３を操作することで、システムマイコン３０は図示しないスピーカーから出力される音量を増加させ、タッチキーＫｅｙ＿４を操作することで、システムマイコン３０は図示しないスピーカーから出力される音量を減少させる。以下、タッチキーＫｅｙ＿５は、「メニュー画面の切替え」操作に対応し、タッチキーＫｅｙ＿６は、「外部入力切替え」に対応し、タッチキーＫｅｙ＿７は、「メイン電源オン・オフ」に対応する。
【００２１】
タッチキーモジュール１０の操作基板１１は、図示しないガラス基板と、各タッチキーＫｅｙ＿ｎに対応するようガラス基板の所定位置に配置された静電容量検出センサーＰＡＤ＿ｎとを備えている（図３）。また、各静電容量検出センサーＰＡＤ＿ｎは、それぞれ第２の配線Ｌｉｎ２＿ｎにそれぞれ接続されており、静電容量検出センサーＰＡＤ＿ｎのいずれかがユーザー等による押圧操作を検出すると、この静電容量検出センサーＰＡＤ＿ｎに接続された第２の配線Ｌｉｎ２＿ｎを通じてハイレベルの信号が出力される。
【００２２】
また、第２の配線Ｌｉｎ２＿ｎの端部は、入力用ＩＣ１２の入力端子Ｔｉｎ＿ｎにそれぞれ接続されている。また、入力用ＩＣ１２のＧＰＩＯ端子Ｔｇｐ＿ｎは、それぞれ第１の配線Ｌｉｎ１＿ｎに接続されている。そして、入力用ＩＣ１２は、その内部に複数の機能ブロックを備えており、特に、入力端子Ｔｉｎ＿ｎからの入力に応じて、ＧＰＩＯ端子Ｔｇｐ＿ｎから出力する信号のレベル（ハイレベル・ローレベル）を切替えるオープンドレインブロック１２ａを備えている。
【００２３】
入力用ＩＣ１２が備えるこのオープンドレインブロック１２ａは、入力端子Ｔｉｎ＿ｎに発生する信号に応じて、対応するＧＰＩＯ端子Ｔｇｐ＿ｎに出力（信号の発生）の有無を切替える機能を備える。より具体的には、オープンドレインブロック１２ａはトランジスターとしての機能を備え、例えば、トランジスターＴ＿ｎのコレクターがＧＰＩＯ端子Ｔｇｐ＿ｎにそれぞれ接続され、ベースが入力端子Ｔｉｎ＿ｎにそれぞれ接続され、エミッターがそれぞれ接地されている。なお、図３では、オープンドレインブロック１２ａの内、入力端子Ｔｉｎ＿３とＧＰＩＯ端子Ｔｇｐ＿３とを繋ぐ機能ブロックのみを示すが、これ以外の端子間も同様の機能ブロックを備える。そのため、例えば、入力端子Ｔｉｎ＿３に発生する信号がローレベルである場合は、トランジスターＴ３はオフし、ドレイン接続されたＧＰＩＯ端子Ｔｇｐ＿３及びこのＧＰＩＯ端子Ｔｇｐ＿３に接続された第１の配線Ｌｉｎ１＿３はオープン（ハイインピーダンス）となる。一方、入力端子Ｔｉｎ＿ｎに供給される信号がハイレベルである場合、トランジスターＴｎはオンし、ＧＰＩＯ端子Ｔｇｐ＿ｎはローレベルとなる。
【００２４】
そして、第１の配線Ｌｉｎ１＿ｎの入力用ＩＣ１２と接続されない側の端部は、出力信号設定部２０に接続されている。出力信号設定部２０は、各第１の配線Ｌｉｎ１＿ｎでの出力（信号の発生）の有無に応じて電圧値を設定する回路である。具体的には、図３に示すように、出力信号設定部２０は、Ｒ０及びＮ−１個の抵抗Ｒｎ’（本実施形態では、Ｎ＝７であるため、ｎ’は１から６までの整数となる。）で構成されたラダー抵抗（直列回路）により構成されている。また、第１の配線Ｌｉｎ１＿１は、ラダー抵抗を構成する抵抗Ｒ１における抵抗Ｒ２と接続されない側の一端に接続されている。また、第１の配線Ｌｉｎ１＿２〜Ｌｉｎ１＿６は、各抵抗Ｒ１〜Ｒ６との接続点に接続されている。更に、第１の配線Ｌｉｎ１＿７は、抵抗Ｒ６における抵抗Ｒ５と接続されない側の端と接続されている。また、出力信号設定部２０は図示しない電源回路に接続され、この電源回路から直流電圧の供給を受ける。そのため、ＧＰＩＯ端子Ｔｇｐ＿ｎに発生する信号がローレベルになる位置に応じてラダー抵抗の抵抗値が変化し、出力端子２０ａには７レベルの出力電圧が発生する。
【００２５】
一例として、ラダー抵抗を構成する各抵抗は、抵抗Ｒ０を１０ｋΩ（オーム）、抵抗Ｒ１を２．２ｋΩ、抵抗Ｒ２を２．２ｋΩ、抵抗Ｒ３を２．７ｋΩ、抵抗Ｒ４を４．７ｋΩ、抵抗Ｒ５を８．２ｋΩ、抵抗Ｒ６を１８ｋΩ、とした。無論、各抵抗値はこれに限定されず、適宜変更可能である。
【００２６】
さらに、図２に示すように、出力信号設定部２０の出力端子２０ａは、第３の配線Ｌｉｎ３を通じてシステムマイコン３０のＫｅｙ−ＩＮ端子３０ａに接続されている。また、システムマイコン３０の内部には、ＡＤコンバーター３０ｂと、実行部３０ｃとを備えている。ＡＤコンバーター３０ｂは、入力側でＫｅｙ−ＩＮ端子３０ａと接続され、同Ｋｅｙ−ＩＮ端子３０ａに発生する７レベルの電圧に応じたデジタル信号を出力する。また、実行部３０ｃは、ＡＤコンバーター３０ｂの出力側と接続され、ＡＤコンバーター３０ｂが出力したデジタル信号から「チャンネルＵＰ」「チャンネルＤＯＷＮ」「音量ＵＰ」「音量ＤＯＷＮ」「メニュー切替え」「外部入力切替え」「メイン電源オン・オフ」のいずれかを判断し、処理を実行する。
【００２７】
また、本実施形態では、実行部３０ｃは、システムマイコン３０が内部に記録するプログラムを実行することで実現されるが、これ以外の構成により実行部３０ｃの機能を実現するものであってもよい。また、システムマイコン３０のリモコン受信端子３０ｄは、配線を通じてリモコン受信部６の出力端子と接続されている。そのため、リモコン装置を操作して入力する操作入力は、このリモコン受信部６を通じてシステムマイコン３０に入力される。
【００２８】
図４は、システムマイコン３０により実行される処理を説明するフローチャートである。以下、この図４を用いて、システムマイコン３０がタッチキーモジュール１０から出力される信号を判断する処理を説明する。
【００２９】
例えば、ユーザーがタッチキーＫｅｙ＿２を操作すると、第２の配線Ｌｉｎ２＿２を通してタッチされたことを検出し、入力用ＩＣ１２の内部ブロックの機能により第１の配線Ｌｉｎ１＿２がローレベルに変化する。そのため、出力信号設定部２０では、抵抗Ｒ１と抵抗Ｒ２との接続点がローレベルに変化し、抵抗値が変化することで所定の電圧を第３の配線Ｌｉｎ３に発生させる。
【００３０】
そのため、ステップＳ１では、ＡＤコンバーター３０ｂは、Ｋｅｙ−ＩＮ端子３０ａに発生した電圧をデジタル信号に変換する。上記のように、信号レベルが変化するＧＰＩＯ端子Ｔｇｐ＿ｎの位置に応じて、出力信号設定部２０は所定の電圧を発生させており、ＡＤコンバーター３０ｂはＫｅｙ−ＩＮ端子３０ａに発生した電圧値に対応するデジタル信号を生成し、実行部３０ｃに出力する。
【００３１】
ステップＳ２では、実行部３０ｃは、ＡＤコンバーター３０ｂが出力するデジタル信号を判断する。例えば、実行部３０ｃはデジタル信号の値と、「チャンネルＵＰ」「チャンネルＤＯＷＮ」「音量ＵＰ」「音量ＤＯＷＮ」「メニュー切替え」「外部入力切替え」「メイン電源オン・オフ」との対応関係を設定テーブルとして記録しており、ＡＤコンバーター３０ｂからデジタル信号が出力されると、この対応関係を参照して処理の判断を行う。上記のように、ＡＤコンバーター３０ｂからはタッチキーＫｅｙ＿２に対応したデジタル信号が出力される場合、実行部３０ｃは対応関係を参照してデジタル信号が「チャンネルＤＯＷＮ」であると判断する。
【００３２】
ステップＳ３では、ステップＳ２の判断に応じて、処理を実行する。即ち、実行部３０ｃは、「チャンネルＵＰ」「チャンネルＤＯＷＮ」「音量ＵＰ」「音量ＤＯＷＮ」「メニュー切替え」「外部入力切替え」「メイン電源オン・オフ」のいずれかの処理を実行する。例えば、実行部３０ｃがＫｅｙ−ＩＮ入力を「チャンネルＤＯＷＮ」と判断する場合は、実行部３０ｃはチューナー部４が抽出するチャンネルを変化させるよう各出力端子から所定の信号を出力する。
【００３３】
＜＜本発明の効果について＞＞
以下、本実施形態に係る電子機器１の効果を、タッチキーモジュール１０に代えて、操作パネル２００を使用した場合を例に説明する。図５は、電子機器１に機械式の操作パネルを接続した場合を示す。ここで、操作パネル２００は、第１の配線Ｌｉｎ１＿ｎ（本実施形態ではｎ＝７）が、それぞれ操作キーＫｅｙ’＿ｎに対応している。各操作キーＫｅｙ’＿ｎの操作（押圧）に応じて第１の配線Ｌｉｎ１＿ｎはオープン又はローレベルの状態となる。
【００３４】
図５に示すように、操作受付部として機械式の操作パネル２００を用いる場合、操作パネル２００とシステムマイコン３０とを出力信号設定部２０を介して接続する。具体的には、操作パネル２００の各操作キーＫｅｙ’＿ｎに接続された第１の配線Ｌｉｎ１＿ｎを出力信号設定部２０の各抵抗Ｒｎ’の各接続点に接続する。
【００３５】
この状態で、操作パネル２００の操作キーが操作（押圧）されると、各操作キーＫｅｙ’＿ｎに対応する第１の配線Ｌｉｎ１＿ｎに信号が発生する。そのため、出力信号設定部２０の抵抗値が変化し、出力端子２０ａ及び第３の配線Ｌｉｎ３には操作キーの操作に対応した電圧が発生する。その結果、システムマイコン３０は、Ｋｅｙ−ＩＮ端子３０ａに発生する電圧をもとに、後段の回路の制御を行うことが可能となる。即ち、タッチキーモジュール１０を接続した場合と同様の入力形式によりシステムマイコン３０は操作入力を判断することが可能となる。
【００３６】
以上説明したように、本発明によれば、シリアルバスを用いることなく、第１の制御部（タッチキーモジュール１０）と第２の制御部（システムマイコン３０）とを接続することができるため、設計変更に柔軟に対応することができる。
即ち、シリアルバスを用いた場合、第１の制御回路と第２の制御回路とはそれぞれ専用に設計されたものを使用する必要がある。しかしながら、本発明は、シリアルバスを用いることなく第１の制御回路と第２の制御回路とを接続させることができるため、設計変更等により第１の制御回路を変更する場合でも、第２の制御回路を流用することが可能となる。
【００３７】
また、システムマイコン３０は、１つの配線により操作入力に応じた信号を受けることができるため、端子数を削減することができる。
【００３８】
そして、タッチキーモジュール１０が操作キーの操作に応じた操作入力をパラレルに出力することで、接点に応じて機械式に変化する操作受付部を備える回路と、タッチキーモジュール１０とを置き換えることが容易になる。
特に、タッチキーモジュール１０が備える入力用ＩＣ１２が、オープンドレイン回路を用いることで、既存のＩＣに実装される制御ブロックを用いて本発明を実現することができる。
【００３９】
また、第１の制御部をタッチキーモジュールとすることで、タッチキーを操作受付部として備える電子機器であっても、シリアルバスを用いることなく接続を行うことができる。
【００４０】
さらに、出力信号設定部２０を複数の抵抗が直列接続して構成された直列回路（ラダー抵抗）により構成することで、簡易な構成により出力信号設定部の機能を実現することができる。
【００４１】
２．第２の実施形態：
次に、電子機器１の第２の実施形態を説明する。
図６は、第２の実施形態にかかるタッチキーモジュール１０の機能を説明する図である。
【００４２】
この第２の実施形態では、第１の実施形態と比べて、入力用ＩＣ１２はＧＰＩＯ端子Ｔｇｐ＿ｎの信号レベルが変化する位置を操作基板１１側のタッチキーＫｅｙ＿ｎの配置に依存することなく設定できる。例えば、設計変更により、タッチキーＫｅｙ＿ｎに割当てる操作入力を変更したい場合がある。このような場合に、入力用ＩＣ１２の設定を変更することで、各タッチキーＫｅｙ＿ｎに割当てる操作入力を簡単な設定変更で変更することができる。
【００４３】
図６に示すように、タッチキーモジュール１０は、第１の実施形態同様、出力側で出力信号設定部２０と第１の配線Ｌｉｎ１＿ｎを通じて接続されている。そして、出力信号設定部２０は、第１の実施形態同様、第３の配線Ｌｉｎ３を通じてシステムマイコン３０に接続されている（図２）。
【００４４】
また、タッチキーモジュール１０は、第１の実施形態同様、操作基板１１、入力用ＩＣ１２を備える。操作基板１１の各静電容量検出センサーＰＡＤ＿ｎは、それぞれ第２の配線Ｌｉｎ２＿ｎを通じて入力用ＩＣ１２の入力端子Ｔｉｎ＿ｎに接続されている。そして、入力用ＩＣ１２のＧＰＩＯ端子Ｔｇｐ＿ｎは、第１の配線Ｌｉｎ１＿ｎを通じて出力信号設定部２０の各抵抗Ｒの接点に接続されている。
【００４５】
入力用ＩＣ１２は、オープンドレインブロック１２ａに加えて、切換スイッチ１２ｂを備える。切換スイッチ１２ｂは、入力端子Ｔｉｎ＿ｎを通じて信号が入力した際、どのＧＰＩＯ端子Ｔｇｐ＿ｎをオン・オフするかを設定する。切換スイッチ１２ｂは、入力端子Ｔｉｎ＿ｎと、オープンドレインブロック１２ａとにそれぞれパラレルに接続されている。
【００４６】
一例として、切換スイッチ１２ｂは、入力側の端子Ｓｉｎ＿ｍで入力端子Ｔｉｎ＿ｎにそれぞれ接続され、出力側の端子Ｓｏｕｔ＿ｍでオープンドレインブロック１２ａのトランジスターＴｎのゲートにそれぞれ接続されている（ｍはｎと同数であり、本実施形態では、ｍ＝１…７）。そして、切換スイッチ１２ｂは、設定により、端子Ｓｉｎ＿ｍのいずれかに入力された信号に応じて、端子Ｓｏｕｔ＿ｍの電圧をハイレベルに変化させる。
そのため、入力端子Ｔｉｎ＿２を通じてハイレベルの信号が端子Ｓｉｎ＿２入力した場合に、端子Ｓｏｕｔ＿３の電圧をハイレベルに変化させることで、トランジスターＴ３をオンにすることができる。
【００４７】
切換スイッチ１２ｂは、入力用ＩＣ１２の内部で実行するプログラムにより実現してもよい。また、切換スイッチ１２ｂがその内部に端子Ｓｉｎ＿ｍと端子Ｓｏｕｔ＿ｍとの接続関係を切換える回路を実装し、その機能を実現してもよい。
【００４８】
さらに、システムマイコン３０の実行部３０ｃは、第１の実施形態同様、デジタル信号と操作入力との関係を設定する設定テーブルを記録している。操作入力の一例として、第１の実施形態同様、「チャンネルＵＰ」「チャンネルＤＯＷＮ」「音量ＵＰ」「音量ＤＯＷＮ」「メニュー切替え」「外部入力切替え」「メイン電源オン・オフ」である。
また、システムマイコン３０は、この設定テーブルを変更するプログラムを記録している。そのため、システムマイコン３０は、このプログラムを実行することで、例えば、リモコン受信部６を通じて作業者からの設定テーブルの変更を受付ける。そして、システムマイコン３０は受付けた変更指示に応じて設定テーブルを変更する。
【００４９】
上記構成の電子機器１において、例えば、タッチキーモジュール１０の変更に合わせて、タッチキーＫｅｙ＿ｎに割当てる操作入力の配置をも変更する場合を例に以下の説明を行う。
まず、作業者は、タッチキーＫｅｙ＿ｎへの割り当てに応じて、切換スイッチ１２ｂを調整する。即ち、切換スイッチ１２ｂを調整することで、各タッチキーＫｅｙ＿ｎ（静電容量検出センサーＰＡＤ＿ｎ）の操作により出力信号設定部２０が発生させる電圧の値を設定する。次に、作業者は、設定されたタッチキーＫｅｙ＿ｎと出力信号設定部２０が発生させる電圧との関係に応じて、実行部３０ｃの設定テーブルを変更する。設定テーブルの変更により、第３の配線Ｌｉｎ３に発生する電圧により示される操作入力が変更された場合でも、システムマイコン３０側でこの電圧に応じた操作入力を判断することが可能となる。
【００５０】
以上説明したように、第２の実施形態では、第１の実施形態の効果に加えて、タッチキーＫｅｙ＿ｎに割当てる操作の設定も変更することができる。即ち、電子機器１の設計変更をより柔軟に行うことができる。
【００５１】
３．その他の実施形態：
本発明は様々な実施形態が存在する。
タッチキーモジュール１０の内部構成は、上記した第１の実施形態のものに限定されない。即ち、タッチキーモジュール１０と出力信号設定部２０とはパラレルに接続されるものであれば、その内部の機能はどの様なものであってもよい。また、第１の配線Ｌｉｎ１と、第２の配線Ｌｉｎ２との関係が１対１に対応するものでなくともよい。
【００５２】
また、出力信号設定部２０をラダー回路により構成することは一例である。例えば、出力信号設定部２０を所定のＩＣにより構成し、パラレル接続された各第１の配線Ｌｉｎ１の内、信号が発生する配線の組合せに応じて所定の電圧を出力する構成としてもよい。
さらに、タッチキーの種別は上記した静電容量方式のものに限定されず、例えば、電磁誘導方式のものであってもよい。
【００５３】
なお、本発明は上記実施例に限られるものでないことは言うまでもない。
即ち、上記実施例の中で開示した相互に置換可能な部材および構成等を適宜その組み合わせを変更して適用してもよい。
公知技術であって上記実施例の中で開示した部材および構成等と相互に置換可能な部材および構成等を適宜置換し、またその組み合わせを変更して適用してもよい。
公知技術等に基づいて当業者が上記実施例の中で開示した部材および構成等の代用として想定し得る部材および構成等と適宜置換し、またその組み合わせを変更して適用してもよい。
【符号の説明】
【００５４】
１…電子機器、２…筺体、３…ディスプレイ、４…チューナー部、５…ＩＦ、６…リモコン受信部、１０…タッチキーモジュール、１１…操作基板、１２…入力用ＩＣ、１２ａ…オープンドレインブロック、２０…出力信号設定部、３０…システムマイコン、３０ｂ…ＡＤコンバーター、２００…操作パネル
【図１】
2013123209.tif 000003
【図２】
2013123209.tif 000004
【図３】
2013123209.tif 000005
【図４】
2013123209.tif 000006
【図５】
2013123209.tif 000007
【図６】
2013123209.tif 000008